(57)【特許請求の範囲】
【請求項１】
電子機器であって、
操作画面を表示するためのディスプレイと、
入力受付領域に対するタッチ操作を入力操作として受け付けるための入力受付部と、
前記電子機器の動作を制御するための制御部とを備え、
前記制御部は、
前記ディスプレイの表示領域の一部に、縮小した前記操作画面を表示することにより、前記電子機器を縮小表示モードで動作させる縮小動作制御部と、
前記入力受付部を制限する操作ロック時に、ロック解除の可否を判定する解除判定部と、
前記操作ロック時に、前記タッチ操作の軌跡が示す一連の入力操作が、前記解除判定部によりロック解除可と判定される第１の入力操作と、前記縮小表示モードで動作させるための、前記入力受付領域の所定の部分領域へのタッチ操作を示す第２の入力操作とを含む場合に、前記操作ロックを解除して前記縮小表示モードでの動作を開始する解除制御部とを含む、電子機器。
【請求項２】
前記制御部の前記解除制御部は、前記操作ロック時に、前記入力受付部により受け付ける前記一連の入力操作において前記第１の入力操作がなされることにより前記解除判定部が前記ロック解除可と判定した場合に、前記縮小表示モードで動作させるための前記入力受付領域の所定の部分領域へのタッチ操作が可能であることを示す画像を前記ディスプレイに表示するよう構成されている、請求項１に記載の電子機器。
【請求項３】
前記制御部の前記解除制御部は、前記入力受付領域の前記所定の部分領域へのタッチ操作の位置に応じて前記縮小率の指定を受け付けるよう構成されており、前記第２の入力操作に示されるタッチ操作の位置に対応する縮小率により前記縮小表示モードでの動作を開始するよう構成されている、請求項１または２に記載の電子機器。
【請求項４】
前記電子機器は、さらに、
前記電子機器の筐体へのユーザの接触を検知するための検知部を備え、
前記制御部は、前記検知部により検知されるユーザの接触位置に基づいて、前記電子機器の筐体のいずれの側面が前記ユーザによって把持されているかを判定する保持状態判定部を含み、
前記制御部の前記解除制御部は、前記保持状態判定部の判定結果に基づいて、前記縮小表示モードで動作させるための、前記入力受付領域の前記所定の部分領域を設定し、設定された部分領域に対する前記タッチ操作により前記第２の入力操作を受け付けるよう構成されている、請求項１から３のいずれか１項に記載の電子機器。
【請求項５】
前記電子機器は、さらに、前記縮小表示モードで動作する場合の前記操作画面の縮小率を記憶するための記憶部を備え、
前記制御部の前記解除制御部は、前記操作ロック時に、前記記憶部に前記縮小率が記憶されている場合、前記第１および第２の入力操作のうち前記第１の入力操作のみを受け付けることにより、前記記憶される前記縮小率に従う操作画面を前記ディスプレイに表示することにより前記操作ロックを解除し、
前記操作ロック時に、前記第１の入力操作と、前記所定の部分領域において最少の縮小率を指定するための座標へ向かうドラッグ操作とを検出することにより、前記操作ロックを解除して、縮小しない前記操作画面を前記ディスプレイに表示する通常表示モードでの動作を開始するよう構成されている、請求項３に記載の電子機器。
【発明の詳細な説明】
【技術分野】
【０００１】
本開示は、タッチパネルなどの入力受付部に対するユーザの接触位置を入力操作として受け付ける電子機器に関し、特に、操作性を向上させるための技術に関する。
【背景技術】
【０００２】
スマートフォン、タブレットなどの電子機器が広く普及している。これら電子機器は、例えば、タッチパネルなどの入力受付手段を筐体の前面に配置して、この入力受付手段に対するユーザの接触位置を入力操作として受け付ける。
【０００３】
電子機器がタッチパネルなどの入力受付手段を備える場合、通常、誤動作を防止するための操作ロック機能が提供されている。操作ロックの状態では、電子機器は、入力受付手段による受け付ける入力操作を、例えばロック解除のための操作など一部の操作に制限する。電子機器は、ロック解除のための操作として、例えば、ディスプレイに表示されるロック解除用のボタンに対し、一定時間以上タッチし続ける操作を受け付ける。また、ロック解除のための操作として、例えば、数字や文字などをパスコードとして入力する操作や、画面に複数のパターンを表示して一定の順番でパターンの選択を受け付ける操作などがある。これにより、電子機器の誤動作を防止している。
【０００４】
また、電子機器は、持ち運びが容易となるよう軽量化が図られるとともに、Ｗｅｂサイトの閲覧など多くの情報を表示するために、ディスプレイの大型化もなされている。近年では、５インチ程度のスマートフォンや、７インチ程度の、片手で把持することも可能な軽量のタブレットも登場している。これら電子機器は、重量的には片手で把持することが可能であるものの、ディスプレイサイズが大画面化するのに伴って、片手でタッチ操作をすることが困難となりつつある。そのため、片手での電子機器の操作性を向上させるための技術が検討されている。
【０００５】
例えば、特開２０１２−１７５２１３号公報（特許文献１）は、携帯電子機器を片手で容易に操作するための技術を記載している。特許文献１に記載された携帯電子機器は、動作モードとして、通常モードと、片手モード（左手モードおよび右手モード）とを有しており、端末ロック状態から通常モードまたは片手モードに遷移する。特許文献１の携帯電子機器は、例えば、端末ロック状態時に、左上方向へのスライド操作を誘導する矢印と、上方向へのスライド操作を誘導する矢印と、右上方向へのスライド操作を誘導する矢印とをディスプレイに表示する。携帯電子機器は、タッチパネルを介して左上方向へのスライド操作を認識することで、携帯電子機器の端末ロック状態を解除し、左手モードに遷移する。このように、携帯電子機器は、各モードへ遷移させるための軌跡を、矢印により予め表示しておくことで、直観的に片手モードへの移行操作を可能としている。
【先行技術文献】
【特許文献】
【０００６】
【特許文献１】特開２０１２−１７５２１３号公報
【発明の概要】
【発明が解決しようとする課題】
【０００７】
特許文献１に記載された技術によると、各モードへ遷移させるための軌跡を、モードそれぞれについて矢印により予めディスプレイに表示しておくことで、ユーザが直観的に片手モードへ移行操作することを可能としている。
【０００８】
この他にも、ユーザに対し、直観的に、片手での操作に適した動作モードへと電子機器を移行させるための別の技術が必要とされている。
【課題を解決するための手段】
【０００９】
一実施形態に従う電子機器は、操作画面を表示するためのディスプレイと、入力受付領域に対するタッチ操作を入力操作として受け付けるための入力受付部と、電子機器の動作を制御するための制御部とを備える。制御部は、ディスプレイの表示領域の一部に、縮小した操作画面を表示することにより、電子機器を縮小表示モードで動作させる縮小動作制御部と、入力受付部を制限する操作ロック時に、ロック解除の可否を判定する解除判定部と、操作ロック時に、タッチ操作の軌跡が示す一連の入力操作が、解除判定部によりロック解除可と判定される第１の入力操作と、縮小表示モードで動作させるための、入力受付領域の所定の部分領域へのタッチ操作を示す第２の入力操作とを含む場合に、操作ロックを解除して縮小表示モードでの動作を開始する解除制御部とを含む。
【発明の効果】
【００１０】
上記一実施形態によると、操作ロック時に、ロック解除のためのタッチ操作と、片手での操作を容易とする縮小表示モードで動作させるためのタッチ操作とを一連の入力操作として受け付けることができる。これにより、電子機器は、ユーザに対し、通常のロック解除操作のための操作手順を損なうことなく、ロック解除と、片手での操作のための縮小表示の指定とを行わせるための操作手順を提供することができ、直観的なユーザビリティを提供することができる。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】実施の形態１の電子機器１０の外観および構成を概略的に示すブロック図である。
【図２】電子機器１０の操作ロック状態において、操作ロック解除の操作に応じた動作を示すフローチャートである。
【図３】電子機器１０の操作ロック状態において、電子機器１０を縮小表示モードで動作させるためのタッチ操作に応じて、ロック解除と通常表示モードまたは縮小表示モードで電子機器１０を動作させる処理を示すフローチャートである。
【図４】実施の形態１の電子機器１０において、ロック解除とともに縮小率を指定して縮小表示モードで動作する場合の画面の表示例を示す図である。
【図５】実施の形態１の電子機器１０において、ユーザが電子機器１０の筐体を把持する位置に応じてナビゲーション用の画像の表示形態を制御する画面例を示す図である。
【図６】実施の形態２の電子機器１０の操作ロック状態における動作を示すフローチャートである。
【図７】実施の形態２の電子機器１０において、縮小率情報１５１がメモリに保持されているか否かに応じて、ロック解除ボタンのアイコンへの短押し時の画面の表示を制御する例を示す図である。
【図８】実施の形態２の電子機器１０において、操作ロック状態の画面を縮小率に従って表示する場合に、ロック解除ボタンのアイコンへの短押し時の画面の表示を制御する例を示す図である。
【図９】実施の形態３の電子機器１０の操作ロック状態において、縮小率情報１５１がメモリに保持されているか否かに応じて複数のナビゲーション用の画像をディスプレイ１４２に表示し、縮小表示モードまたは通常表示モードで電子機器１０を動作させる処理を示すフローチャートである。
【図１０】実施の形態３の電子機器１０において、縮小率情報１５１がメモリに保持されている場合に、ナビゲーション用の画像を複数表示してフリック操作により縮小表示モードまたは通常表示モードによって動作を開始する処理の表示例を示す図である。
【図１１】パスコード入力により操作ロック状態を解除してナビゲーション用の第１の画像を表示する処理を示すフローチャートである。
【図１２】実施の形態４における操作ロック解除のための操作手順およびナビゲーション用の第１の画像の表示の例を示す図である。
【図１３】格子状の複数のパターンを表示して、一筆書きにより一定の順番でこれらパターンが選択されることにより操作ロック状態を解除してナビゲーション用の第１の画像を表示する処理を示すフローチャートである。
【図１４】実施の形態５における操作ロック解除のための操作手順およびナビゲーション用の第１の画像の表示の例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜実施の形態１＞
＜機能的な構成＞
図１は、実施の形態１の電子機器１０の外観および構成を概略的に示す図である。図１（Ａ）は、電子機器１０の外観を示す図である。図１（Ｂ）は、電子機器１０の構成を示すブロック図である。電子機器１０は、例えば、スマートフォン、タブレット端末その他の電子機器である。電子機器１０は、ユーザによる片手での操作を容易にするために、ユーザの操作を受け付けるための操作画面を縮小してディスプレイ１４２に表示する縮小表示モードと、縮小しない操作画面をディスプレイ１４２に表示する通常表示モードとにより動作する。
【００１５】
図１（Ａ）に示すように、電子機器１０は、正面に入力受付部１４１（タッチパネル）、ディスプレイ１４２を備える。電子機器１０の筐体に、ディスプレイ１４２、入力受付部１４１（タッチパネル）、カバーガラスが積層されてはめ込まれている。入力受付部１４１（タッチパネル）は、ユーザの指やスタイラスペンなどの接触を検出する。ディスプレイ１４２は、映像信号に基づきアイコン、静止画、動画、映像を表示する。スピーカ１４８は、音声を出力する。物理操作キー１３１は、物理的なキーであり、ユーザによるキーへの入力操作を受け付ける。
【００１６】
図１（Ａ）に示すように、電子機器１０は、筐体の側面に、筐体への人体の接触を検知する接触検知部１４９（接触検知部１４９Ａ、接触検知部１４９Ｂ、接触検知部１４９Ｃおよび接触検知部１４９Ｄ）を備える。図１（Ａ）の例では、正面図において、電子機器１０の筐体の左側面に、接触検知部１４９Ｃと接触検知部１４９Ｄとが上下方向に一列に配置され、右側面に接触検知部１４９Ａと接触検知部１４９Ｂとが一列に配置される。接触検知部１４９Ａ、１４９Ｂ、１４９Ｃ、１４９Ｄは、例えばグリップセンサである。各グリップセンサは、例えば静電容量方式のタッチセンサ、圧力の変化を検出するセンサ、電気抵抗の変化、または温度の変化を検知することでグリップセンサへの人体の接触を検知する。
【００１７】
図１（Ｂ）に示すように、電子機器１０は、アンテナ１０１と、無線通信部１１１と、物理操作キー１３１と、加速度センサ１３２と、入力受付部１４１と、ディスプレイ１４２と、電源制御部１４４と、バッテリ１４５と、音声処理部１４６と、マイク１４７と、スピーカ１４８と、接触検知部１４９と、記憶部１５０と、制御部１６０とを含む。
【００１８】
アンテナ１０１は、電子機器１０が発する信号を電波として放射する。また、アンテナ１０１は、空間から電波を受信して受信信号を無線通信部１１１へ与える。本実施形態では、電子機器１０は、複数の無線通信規格に対応している。通信方式として、ＰＨＳ（Personal  Handy-phone  System）、Ｗ−ＣＤＭＡ（Wideband  Code  Division  Multiple  Access）、ＬＴＥ（Long  Term  Evolution）、ＧＳＭ（登録商標）（global  system  for  mobile  communications）その他の通信方式がある。また、電子機器１０は、ＩＥＥＥ（Institute  of  Electrical  and  Electronic  Engineers）８０２．１１などの無線ＬＡＮ規格にも対応する。
【００１９】
無線通信部１１１は、電子機器１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、電子機器１０が送受信する無線信号の変復調や周波数変換を行い、受信信号を制御部１６０へ与える。
【００２０】
物理操作キー１３１は、操作キーなどの物理的な入力装置であり、ユーザによるキーへの押下操作を受け付ける。物理操作キー１３１は、ユーザの押下操作に応じて、操作内容を示す信号を制御部１６０へ出力する。
【００２１】
加速度センサ１３２は、電子機器１０の傾きを、重力方向の加速度として検出するためのセンサであり、例えば３軸加速度センサである。加速度センサ１３２は、検出した３軸の加速度を制御部１６０へ出力する。
【００２２】
記憶部１５０は、例えばフラッシュメモリ等により構成され、電子機器１０が使用するデータおよびプログラムを記憶する。ある局面において、記憶部１５０は、縮小率情報１５１を記憶する。縮小率情報１５１は、電子機器１０が、ディスプレイ１４２に、縮小した操作画面を表示する縮小表示モードで動作する場合に、操作画面を縮小する縮小率を示す情報である。
【００２３】
入力受付部１４１は、ユーザの入力操作を受け付ける。入力受付部１４１は、例えば静電容量方式のものを用いることによってユーザの接触操作を受け付ける。入力受付部１４１は、ユーザによる入力操作を制御部１６０へ出力する。
【００２４】
ディスプレイ１４２は、制御部１６０の制御に応じて、電子機器１０が操作ロック状態の場合に、操作ロックを解除するための画面を表示する。電子機器１０は、誤動作等を防止するために、入力受付部１４１によって受け付ける入力操作を、ロック解除操作等の一部の操作に制限する操作ロックの状態で動作する。また、ディスプレイ１４２は、操作ロックが解除された状態で、ユーザの操作を受け付けるための操作画面を表示する。操作画面は、アイコンや背景画像などを含む。例えば、ディスプレイ１４２は、アプリケーションの動作によって静止画や動画などを表示する。ディスプレイ１４２は、例えばＬＣＤ（Liquid  Crystal  Display）や有機ＥＬ（electroluminescence）ディスプレイによって実現される。
【００２５】
電源制御部１４４は、電子機器１０の各回路に対する電力の供給を制御する。電源制御部１４４は、例えば電源制御用ＩＣ（Integrated  Circuit）である。
【００２６】
バッテリ１４５は、電子機器１０の各回路を動作させるための電力を供給する供給源である。バッテリ１４５からの電力は、電源制御部１４４の制御に従って各回路へ供給される。
【００２７】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。
【００２８】
マイク１４７は、ユーザによる音声入力を受け付けて、当該音声入力に対応する音声信号を音声処理部１４６へ与える。
【００２９】
スピーカ１４８は、音声処理部１４６から与えられる音声信号を音声に変換して当該音声を電子機器１０の外部へ出力する。
【００３０】
接触検知部１４９は、電子機器１０の筐体の側面に配置され、配置された領域において筐体への人体の接触を検知する。接触検知部１４９は、例えば静電容量式のタッチセンサを用いることができる。
【００３１】
制御部１６０は、記憶部１５０に記憶される制御プログラムを読み込んで実行することにより、電子機器１０の動作を制御する。制御部１６０は、例えばアプリケーションプロセッサである。制御部１６０は、プログラムに従って動作することにより、縮小表示制御部１６１と、ロック解除判定部１６２と、解除制御部１６３と、保持状態判定部１６４としての機能を発揮する。
【００３２】
縮小表示制御部１６１は、ユーザの操作を受け付けるための操作画面などを、縮小率情報１５１に示される縮小率に従って、ディスプレイ１４２の表示領域の一部に表示する。こうすることで、電子機器１０は、ユーザに対し、片手での操作が容易な操作環境を提供する。
【００３３】
ロック解除判定部１６２は、電子機器１０が操作ロック状態の場合に、入力受付部１４１等によって受け付ける入力操作に基づいて、操作ロック状態を解除するか否かを判定する。例えば、操作ロック状態を解除するための入力操作として、ユーザが、ディスプレイ１４２に表示されるロック解除用のアイコンを、一定時間以上タッチすることなどがある。この場合、ロック解除判定部１６２は、ロック解除用のアイコンを表示する位置へのユーザの接触が一定時間以上継続しているか否かを判定することにより、操作ロック状態を解除するか否かを判定する。
【００３４】
解除制御部１６３は、入力受付部１４１等によって受け付ける入力操作に基づいて、操作ロック状態の解除後に電子機器１０を縮小表示モードまたは通常表示モードで動作させる。解除制御部１６３は、電子機器１０が操作ロック状態の場合に、入力受付部１４１によって受け付けるユーザのタッチ操作の軌跡が示す一連の入力操作が、ロック解除判定部１６２によって操作ロック解除可と判定される入力操作と、電子機器１０を縮小表示モードで動作させる場合の縮小率を指定するための入力操作とを含む場合に、操作ロック状態を解除して縮小表示モードで電子機器１０を動作させる。電子機器１０は、縮小表示モードで動作させる場合の縮小率をユーザが指定するための入力操作を、例えば、入力受付部１４１の入力受付領域の一部の領域に、ユーザのタッチ操作がなされることで受け付ける。例えば、ディスプレイ１４２が矩形の表示領域を有する場合に、電子機器１０は、ディスプレイ１４２の表示領域の対角線上の領域を、縮小表示モードで動作させる場合の縮小率の指定を受け付ける領域とする。電子機器１０は、この対角線上の領域へのタッチ操作を入力受付部１４１によって検出することで、縮小表示モードで動作させる場合の縮小率の指定をユーザから受け付ける。また、解除制御部１６３は、電子機器１０が操作ロック状態の場合に、入力受付部１４１によって受け付けるユーザのタッチ操作を示す一連の入力操作が、ロック解除判定部１６２によって操作ロック解除可と判定される入力操作を含む場合に、タッチ操作により縮小率の指定を受け付けるための領域を示すナビゲーション用の画像をディスプレイ１４２に表示する。
【００３５】
保持状態判定部１６４は、接触検知部１４９が検知する検知結果に基づいて、ユーザが電子機器１０の筐体のいずれの側面を把持しているかを判定する。例えば、保持状態判定部１６４は、接触検知部１４９Ｃおよび接触検知部１４９Ｄにおいて人体の接触を検知し、接触検知部１４９Ａおよび接触検知部１４９Ｂにおいて人体の接触を検知しない場合に、ユーザが、電子機器１０の筐体の左側面を把持していると判定する。また、例えば、保持状態判定部１６４は、接触検知部１４９Ａおよび接触検知部１４９Ｂにおいて人体の接触を検知し、接触検知部１４９Ｃおよび接触検知部１４９Ｄにおいて人体の接触を検知しない場合に、ユーザが、電子機器１０の筐体の右側面を把持していると判定する。また、例えば、保持状態判定部１６４は、接触検知部１４９Ｃおよび接触検知部１４９Ｄのいずれかと、接触検知部１４９Ａおよび接触検知部１４９Ｂのいずれかとにおいて人体の接触を検知することで、ユーザが、電子機器１０の筐体の両側面を把持していると判定する。また、例えば、保持状態判定部１６４は、接触検知部１４９Ａ、１４９Ｂ、１４９Ｃおよび１４９Ｄのいずれにおいても人体の接触を検知しない場合、ユーザが電子機器１０の筐体のいずれの側面をも把持していないと判定する。
【００３６】
＜動作＞
図２から図５を参照して、実施の形態１の電子機器１０の操作ロック状態における動作を説明する。
【００３７】
図２は、電子機器１０の操作ロック状態において、操作ロック解除の操作に応じた動作を示すフローチャートである。電子機器１０は、図２に示す処理を、例えば、電子機器１０がスリープ状態などディスプレイ１４２の画面の表示がなされていない場合（以下、この状態を「画面ＯＦＦ状態」ということもある）に、ユーザによる電子機器１０の筐体への接触を接触検知部１４９で検知すること、または物理操作キー１３１への押下操作を検知すること等により、電子機器１０を操作ロック状態へ遷移させることで開始する。
【００３８】
ステップＳ１０１において、制御部１６０は、ロック解除ボタンのアイコンをディスプレイ１４２に表示し、ロック解除ボタンのアイコンへのユーザのタッチ操作を入力受付部１４１によって検出し、ロック解除ボタンのアイコンへのタッチ操作が一定時間を超えたか否かにより、操作ロック状態の解除の可否を判定する。ロック解除ボタンのアイコンへのユーザのタッチ操作が一定時間を超えた場合、制御部１６０は、ステップＳ１２１の処理を行い（ステップＳ１０１において、”ロック解除可”）、そうでない場合、ステップＳ１１７の処理を行う（ステップＳ１０１において、”ロック解除不可”）。
【００３９】
ステップＳ１１７において、制御部１６０は、入力受付部１４１および物理操作キー１３１等によってユーザの入力操作の有無を検知しており、入力操作がない期間（ユーザの操作を検出しない期間）が一定時間（例えば、予め電子機器１０の設定により定められた時間）を超えたか否かを判定する。ユーザの入力操作がない、操作未検出の時間が一定時間を超えた場合（ステップＳ１１７においてＹＥＳ）、制御部１６０は、ステップＳ１１９の処理を行い、そうでない場合（ステップＳ１１７においてＮＯ）、ステップＳ１０１の処理を行う。
【００４０】
ステップＳ１１９において、制御部１６０は、操作ロック状態から画面ＯＦＦ状態へと電子機器１０を遷移させて処理を終了する。
【００４１】
ステップＳ１２１において、制御部１６０は、接触検知部１４９の検出結果に基づいて、電子機器１０の筐体の左側面と右側面のうち、いずれかの側面のみが人体と接触しているか否かを判定する。電子機器１０の筐体の左側面が人体と接触して右側面が人体と接触していない場合、または電子機器１０の筐体の右側面が人体と接触して左側面が人体と接触していない場合（ステップＳ１２１においてＹＥＳ）、制御部１６０は、ステップＳ１２５の処理を行い、そうでない場合（ステップＳ１２１においてＮＯ）、ステップＳ１２３の処理を行う。
【００４２】
ステップＳ１２３において、制御部１６０は、入力操作を受け付けるための操作画面を縮小表示せずにディスプレイ１４２に表示して、通常表示モードでの動作を開始する。
【００４３】
ステップＳ１２５において、制御部１６０は、ナビゲーション用の画像（第１の画像）をディスプレイ１４２へ表示する。ナビゲーション用の画像（第１の画像）とは、入力受付部１４１がタッチ操作によって入力操作を受け付ける入力受付領域のうち、電子機器１０を縮小表示モードで動作させる場合の縮小率の指定をユーザからタッチ操作によって受け付けることが可能な部分領域を示す画像である。制御部１６０は、ナビゲーション用の画像（第１の画像）を、ディスプレイ１４２に、ロック解除ボタンのアイコンを起点として表示する。制御部１６０は、ナビゲーション用の画像（第１の画像）を、ディスプレイ１４２において、電子機器１０の筐体に人体が接触している側面に沿う辺の下端と、この側面に対向する側面に沿う辺の上部の頂点とを結ぶ対角線に沿うように表示する。ナビゲーション用の画像（第１の画像）の終点は、電子機器１０の筐体に人体が接触している側面に対向する側面の上部の頂点である。具体的には、ユーザが電子機器１０の筐体の右側面を把持している場合、制御部１６０は、ナビゲーション用の画像（第１の画像）を、ロック解除ボタンのアイコンを起点とし、筐体の右側面に沿うディスプレイ１４２の辺の下端と、筐体の左側面に沿うディスプレイ１４２の辺の上部の頂点とを結ぶ対角線に沿うように、筐体の左側面に沿うディスプレイ１４２の辺の上部の頂点を終点としてディスプレイ１４２に表示する。制御部１６０は、ステップＳ１２５の処理を行うと、図３に示す処理（ステップＳ２）を行う。
【００４４】
図３は、電子機器１０が、操作ロック状態において電子機器１０を縮小表示モードで動作させるためのタッチ操作に応じて、ロックを解除する処理、および、通常表示モードまたは縮小表示モードで電子機器１０を動作させる処理を示すフローチャートである。制御部１６０は、ナビゲーション用の画像（第１の画像）と、ロック解除ボタンのアイコンとをディスプレイ１４２へ表示している。
【００４５】
ステップＳ１４５において、制御部１６０は、入力受付部１４１の検出結果に基づいて、ナビゲーション用の画像（第１の画像）上を、ユーザがロック解除ボタンのアイコンを選択したまま移動させるドラッグ操作を開始したか否かを判定する。ドラッグ操作とは、ユーザが、任意の画像を入力受付部１４１へのタッチ操作により選択したまま、入力受付部１４１との接触位置を変化させて、当該任意の画像を移動させる操作をいう。制御部１６０は、ユーザがドラッグ操作を開始したと判定した場合（ステップＳ１４５においてＹＥＳ）、ステップＳ１９３の処理を行い、そうでない場合（ステップＳ１４５においてＮＯ）、ステップＳ１５３の処理を行う。すなわち、制御部１６０は、入力受付部１４１によって検出されるユーザのタッチ操作の位置が、ディスプレイ１４２に表示されるナビゲーション用の画像（第１の画像）に沿ったものであるか否かを判定する。ユーザがナビゲーション用の画像（第１の画像）上でドラッグ操作を行う場合、制御部１６０は、ユーザのタッチ操作の位置に応じてロック解除ボタンが追随して移動するように、ロック解除ボタンのアイコンを表示する。また、ユーザの入力受付部１４１へのタッチ操作の位置に応じて移動するロック解除ボタンのアイコンは、ナビゲーション用の画像（第１の画像）に沿って移動するよう、移動方向が規制されてディスプレイ１４２に表示される。これにより、ユーザがナビゲーション用の画像（第１の画像）の任意の点を選択してタッチ操作を行うことを容易にし、操作性を向上させている。
【００４６】
ステップＳ１５３において、制御部１６０は、入力受付部１４１の検出結果に基づいて、ナビゲーション用の画像（第１の画像）の範囲外において、ユーザのタッチ操作を検出したか否かを判定する。ナビゲーション用の画像（第１の画像）の範囲外でユーザのタッチ操作を検出した場合（ステップＳ１５３においてＹＥＳ）、制御部１６０は、図２に示すステップＳ１０１の処理を行い（図２のステップＳ１）、そうでない場合（ステップＳ１５３においてＮＯ）、ステップＳ１５５の処理を行う。
【００４７】
ステップＳ１５５において、制御部１６０は、入力受付部１４１および物理操作キー１３１等によってユーザの入力操作の有無を検知しており、入力操作がない期間が一定時間を超えたか否かを判定する。操作未検出の時間が一定時間を超えた場合（ステップＳ１５５においてＹＥＳ）、制御部１６０は、ステップＳ１５７の処理を行い、そうでない場合（ステップＳ１５５においてＮＯ）、ステップＳ１４５の処理を行う。
【００４８】
ステップＳ１５７において、制御部１６０は、入力操作を受け付けるための操作画面を縮小表示せずにディスプレイ１４２に表示して、通常表示モードでの動作を開始する。
【００４９】
ステップＳ１９３において、制御部１６０は、入力受付部１４１の検出結果に基づいて、ユーザが入力受付部１４１への接触を終了することによりドラッグ操作が終了したか、またはドラッグ操作が継続しているかを判定する。ドラッグ操作が継続している場合（ステップＳ１９３において”操作継続”）、制御部１６０は、引き続き入力受付部１４１の検出結果に基づいて、ドラッグ操作が終了したか否かを監視し、ドラッグ操作が終了した場合（ステップＳ１９３において”操作終了”）、制御部１６０は、ステップＳ１９５の処理を行う。
【００５０】
ステップＳ１９５において、制御部１６０は、ユーザがドラッグ操作を終了した位置、すなわち、入力受付部１４１がユーザの接触を検出しなくなった位置が、ディスプレイ１４２の表示領域の上部の一定領域にあるか否かを判定する。すなわち、制御部１６０は、ユーザが、ロック解除ボタンのアイコンを、ナビゲーション用の画像（第１の画像）上において、ディスプレイ１４２の上部を占める一定の領域までドラッグ操作をしたか否かを判定する。ドラッグ操作の終了した位置が、ディスプレイ１４２の表示領域の上部の一定領域にある場合（ステップＳ１９５においてＹＥＳ）、制御部１６０は、ステップＳ１９７の処理を行い、そうでない場合（ステップＳ１９５においてＮＯ）、ステップＳ１５７の処理を行う。
【００５１】
ステップＳ１９７において、制御部１６０は、ドラッグ操作の終了した位置を、縮小表示モードにおける操作画面の縮小率を指定する位置として縮小率を算出し、算出した縮小率を縮小率情報１５１として記憶部１５０に記憶させる。
【００５２】
ステップＳ１９９において、制御部１６０は、ドラッグ操作の終了した位置を頂点とし、電子機器１０の筐体の人体が接触している側面に近いディスプレイ１４２の辺と、ディスプレイ１４２の下辺とに沿う矩形領域に操作画面を表示して、縮小表示モードでの動作を開始する。
【００５３】
＜実施の形態１の画面の表示例＞
図４および図５を参照して、実施の形態１の電子機器１０の画面の表示例を説明する。
【００５４】
図４は、実施の形態１の電子機器１０において、ロック解除とともに縮小率を指定して縮小表示モードで動作する場合の画面の表示例を示す図である。
【００５５】
図４（Ａ）は、ステップＳ１０１の処理に対応した図である。図４（Ａ）に示すように、制御部１６０は、ロック解除ボタンのアイコンであるロック解除アイコン２０１をディスプレイ１４２に表示して、ユーザから、ロック解除のための入力操作を受け付ける。
【００５６】
図４（Ｂ）は、ステップＳ１０１およびステップＳ１２１の処理に対応した図である。制御部１６０は、ロック解除ボタンのアイコンへのタッチ操作が一定時間を超えたと判定すると（ステップＳ１０１においてＹＥＳ）、ステップＳ１２１の処理を行い、電子機器１０の筐体の側面のいずれかのみが人体と接触しているか判定する。図４（Ｂ）の例では、ステップＳ１２１において、制御部１６０は、電子機器１０の筐体の右側面のみが人体と接触していると判定し、ステップＳ１２５の処理を行う。
【００５７】
図４（Ｃ）は、ステップＳ１２５の処理に対応した図である。図４（Ｃ）に示すように、制御部１６０は、ロック解除アイコン２０１を起点としてナビゲーション画像２０４を表示する。制御部１６０は、ナビゲーション画像２０４を、電子機器１０の筐体に人体が接触している右側面に沿うディスプレイ１４２の辺の下端と、右側面に対向する左側面に沿う辺の上部の頂点とを結ぶ対角線２０３に沿うように表示する。制御部１６０は、ナビゲーション画像２０４を、電子機器１０の筐体の左側面に沿うディスプレイ１４２の辺の上部の頂点を終点としてディスプレイ１４２に表示する。
【００５８】
図４（Ｄ）は、ステップＳ１４５およびステップＳ１９３の処理に対応した図である。図４（Ｄ）に示すように、ロック解除アイコン２０１が、ドラッグ操作によりナビゲーション画像２０４上を移動している。
【００５９】
図４（Ｅ）は、ステップＳ１９３およびステップＳ１９５の処理に対応した図である。図４（Ｅ）では、ユーザがドラッグ操作を縮小可能座標２０２よりもディスプレイの上部の領域において終了する（ステップＳ１９５においてＹＥＳ）。制御部１６０は、ドラッグ操作が縮小可能座標２０２よりも上部の一定の領域で終了した場合は（ステップＳ１９５においてＹＥＳ）、ドラッグ操作の終了位置を縮小率の指定位置として縮小表示モードで電子機器１０を動作させ、ドラッグ操作が縮小可能座標２０２よりも下側の領域で終了した場合は（ステップＳ１９５においてＮＯ）、通常表示モードで電子機器１０を動作させる。
【００６０】
図４（Ｆ）は、ステップＳ１９９の処理に対応した図である。図４（Ｆ）の例では、制御部１６０は、ユーザがドラッグ操作を終了した位置を頂点とし、人体が電子機器１０の筐体に接触している右側面に近いディスプレイの辺および下辺に沿う矩形領域（縮小サイズ操作画面２１１）に操作画面を縮小表示して、縮小表示モードで電子機器１０を動作させている。
【００６１】
図５は、実施の形態１の電子機器１０において、ユーザが電子機器１０の筐体を把持する位置に応じてナビゲーション用の画像の表示形態を制御する画面例を示す図である。
【００６２】
図５（Ａ）は、電子機器１０の筐体の右側面に人体が接触している場合に、ユーザがロック解除アイコン２０１へのタッチ操作によりロック解除のための操作を行う例を示す図である。図５（Ｂ）は、電子機器１０の筐体の右側面に人体が接触している場合に（ステップＳ１２１においてＹＥＳ）、ナビゲーション画像２０４をディスプレイ１４２に表示する例を示す図である。図５（Ｂ）に示すように、ナビゲーション画像２０４は、ロック解除アイコン２０１を起点とし、電子機器１０の筐体において、人体が接触している右側面に沿うディスプレイ１４２の辺の下端と、左側面に沿う辺の上端とを結ぶ対角線２０３に沿うように、左側面の上端を終点としてディスプレイ１４２に表示される（ステップＳ１２５）。
【００６３】
図５（Ｃ）は、電子機器１０の筐体の左側面に人体が接触している場合に、ユーザがロック解除アイコン２０１へのタッチ操作によりロック解除のための操作を行う例を示す図である。図５（Ｄ）は、電子機器１０の筐体の左側面に人体が接触している場合に（ステップＳ１２１においてＹＥＳ）、ナビゲーション画像２０４をディスプレイ１４２に表示する例を示す図である。図５（Ｄ）に示すように、ナビゲーション画像２０４は、ロック解除アイコン２０１を起点とし、電子機器１０の筐体において、人体が接触している左側面に沿うディスプレイ１４２の辺の下端と、右側面に沿う辺の上端とを結ぶ対角線２０３に沿うように、右側面の上端を終点としてディスプレイ１４２に表示される（ステップＳ１２５）。
【００６４】
図５（Ｅ）は、電子機器１０の筐体の両側面に人体が接触している場合に、ユーザがロック解除アイコン２０１へのタッチ操作によりロック解除のための操作を行う例を示す図である。図５（Ｆ）は、電子機器１０の筐体の両側面に人体が接触している場合に（ステップＳ１２１においてＮＯ）、制御部１６０が通常表示モードでの動作を開始する例を示す図である。図５（Ｆ）に示すように、制御部１６０は、縮小表示モードにおける縮小率を指定するためのナビゲーション画像２０４の表示を行うことなく、通常サイズ操作画面２１２をディスプレイ１４２に表示して通常表示モードでの動作を開始する。
【００６５】
＜実施の形態１のまとめ＞
このように、実施の形態１の電子機器１０によれば、操作ロック状態を解除するための操作において、ロック解除操作の手順と、縮小表示モードにおける縮小率（縮小した場合の画面サイズ）を決定する手順とを含めることができ、片手での操作を実現するために、直観的で容易な操作性を提供することができる。
【００６６】
また、電子機器において、通常の画面サイズで操作画面を表示した場合、操作画面にアプリケーション起動用のアイコン等が表示されている。そのため、縮小表示モードへ遷移させるための入力操作が、これらアプリケーション起動用のアイコンへのタッチ操作、アイコンのドラッグ操作および操作画面をスクロールさせるための操作など各種の操作と競合する可能性があり、意図しない誤動作を発生させる要因にもなり得る。これに対し、実施の形態１の電子機器１０によれば、ロック解除の操作と、縮小率を指定する操作とを一連のものとして入力を受け付けることで、ユーザが片手での操作を行うための縮小表示を設定する手間を軽減することができ、また、縮小表示への移行に際し、ユーザの意図しない誤動作を防止することができる。
【００６７】
また、ステップＳ１９７において、ロック解除ボタンのアイコンをドラッグ操作した終了位置が、ディスプレイ上部の一定の領域に到達していない場合（ステップＳ１９７においてＮＯ）に、縮小表示とせず通常表示モードで電子機器１０を動作開始することとしている。そのため、例えば、ユーザが誤って入力受付部１４１に触れたとしても、操作画面が縮小表示されることもなく、ユーザは、意図したとおりに、電子機器１０の縮小表示モードと通常表示モードとを切り替えることができる。
【００６８】
＜実施の形態２＞
図６から図８を参照して、別の実施の形態にかかる電子機器１０の動作について説明する。実施の形態２の電子機器１０は、縮小率情報１５１が記憶部１５０に記憶されているか否かに応じて、ロック解除時の処理を行う。
【００６９】
図６は、実施の形態２の電子機器１０の操作ロック状態における動作を示すフローチャートである。
【００７０】
ステップＳ１１１において、制御部１６０は、ロック解除ボタンのアイコンをディスプレイ１４２に表示し、ロック解除ボタンのアイコンへのユーザのタッチ操作の有無を入力受付部１４１によって検出する。ロック解除ボタンのアイコンへのタッチ操作がない場合（ステップＳ１１１においてＮＯ）は、制御部１６０は、ロック解除ボタンのアイコンへのタッチ操作の有無を監視する。ロック解除ボタンのアイコンへのユーザのタッチ操作がある場合（ステップＳ１１１においてＹＥＳ）は、制御部１６０は、ステップＳ１１３の処理を行う。
【００７１】
ステップＳ１１３において、制御部１６０は、入力受付部１４１へのタッチ操作が継続してなされているか否かを入力受付部１４１の検出結果に基づいて検知し、タッチ操作が継続していない場合、ロック解除ボタンのアイコンへタッチ操作を継続していた時間が所定の時間に満たないか否か、すなわちロック解除ボタンのアイコンへのタッチ操作が短押しであるか否かを判定する。ロック解除ボタンのアイコンへのタッチ操作が短押しである場合（ステップＳ１１３においてＹＥＳ）、制御部１６０は、ステップＳ１１８の処理を行い、そうでない場合（ロック解除ボタンへのタッチ操作はある）（ステップＳ１１３においてＮＯ）、ステップＳ１１５の処理を行う。
【００７２】
ステップＳ１１５において、制御部１６０は、ロック解除ボタンのアイコンへのタッチ操作が一定時間を超えているか、すなわちロック解除ボタンのアイコンへのタッチ操作が長押しであるか否かを判定する。ロック解除ボタンのアイコンへのタッチ操作が一定時間を超えていない場合（ステップＳ１１５においてＮＯ）、制御部１６０は、ステップＳ１１３の処理を行い、一定時間を超えている場合（長押しである場合）（ステップＳ１１５においてＹＥＳ）、ステップＳ１２１の処理を行う。
【００７３】
ステップＳ１１８において、制御部１６０は、記憶部１５０の記憶内容を参照し、縮小率情報１５１がメモリに保持されているか否かを判定する。縮小率情報１５１がメモリに保持されている場合（ステップＳ１１８においてＹＥＳ）、制御部１６０は、ステップＳ１２０の処理を行い、そうでない場合（ステップＳ１１８においてＮＯ）、ステップＳ１２３の処理を行う。
【００７４】
ステップＳ１２０において、制御部１６０は、記憶部１５０に保持される縮小率情報１５１に示される縮小率に基づいて、操作画面を縮小して縮小表示モードで動作する。
【００７５】
＜実施の形態２の画面の表示例＞
図７および図８を参照して、実施の形態２の電子機器１０の画面の表示例を説明する。
【００７６】
図７は、実施の形態２の電子機器１０において、縮小率情報１５１がメモリに保持されているか否かに応じて、ロック解除ボタンのアイコンへの短押し時の画面の表示を制御する例を示す図である。
【００７７】
図７（Ａ）は、ステップＳ１１１の処理に対応した図である。図７（Ａ）に示すように、制御部１６０は、ロック解除ボタンのアイコンであるロック解除アイコン２０１をディスプレイ１４２に表示して、入力受付部１４１の検出結果に基づいて、ロック解除アイコン２０１へのタッチ操作の有無を検知する。
【００７８】
図７（Ｂ）は、ステップＳ１１３の処理に対応した図である。図７（Ｂ）に示すように、制御部１６０は、入力受付部１４１の検出結果に基づいて、ロック解除アイコン２０１へのタッチ操作の後、ロック解除アイコン２０１へのタッチ操作の有無を検知し、タッチ操作がない場合で、タッチ時間が所定時間に満たないか（短押しであるか）判定する。
【００７９】
図７（Ｃ）は、ステップＳ１１５とステップＳ１２１とステップＳ１２５との処理に対応した図である。図７（Ｃ）に示すように、制御部１６０は、ロック解除アイコン２０１へのタッチ操作が一定時間を超えている場合（長押しである場合）（ステップＳ１１５においてＹＥＳ）、電子機器１０の筐体の側面のいずれかのみが人体と接触していると（ステップＳ１２１においてＹＥＳ）、ナビゲーション画像２０４をディスプレイ１４２に表示する（ステップＳ１２５）。
【００８０】
図７（Ｄ）は、ステップＳ１１８とステップＳ１２０との処理に対応した図である。図７（Ｄ）に示すように、制御部１６０は、ロック解除アイコン２０１へのタッチ操作が短押しであると判定すると（ステップＳ１１３においてＹＥＳ）、縮小率情報１５１がメモリに保持されているか否かを判定する。縮小率情報１５１がメモリに保持されている場合（ステップＳ１１８においてＹＥＳ）、制御部１６０は、保持されている縮小率に従って、縮小サイズ操作画面２１１をディスプレイ１４２に表示して、縮小表示モードでの動作を開始する。
【００８１】
図７（Ｅ）は、ステップＳ１１８とステップＳ１２３との処理に対応した図である。図７（Ｅ）に示すように、制御部１６０は、ロック解除アイコン２０１へのタッチ操作が短押しであると判定すると（ステップＳ１１３においてＹＥＳ）、縮小率情報１５１がメモリに保持されているか否かを判定する。縮小率情報１５１がメモリに保持されていない場合（ステップＳ１１８においてＮＯ）、制御部１６０は、通常サイズ操作画面２１２をディスプレイ１４２に表示して、通常表示モードでの動作を開始する。
【００８２】
図８は、実施の形態２の電子機器１０において、操作ロック状態の画面を縮小率に従って表示する場合に、ロック解除ボタンのアイコンへの短押し時の画面の表示を制御する例を示す図である。図８の例では、記憶部１５０に縮小率情報１５１が保持されており、制御部１６０は、操作ロック状態の画面を、縮小率情報１５１に示される縮小率に従ってディスプレイ１４２に表示する。
【００８３】
図８（Ａ）は、ステップＳ１１１の処理に対応した図である。図８（Ａ）に示すように、制御部１６０は、縮小率情報１５１に示される縮小率に従って、縮小サイズ操作画面２１１をディスプレイ１４２に表示する。図８（Ｂ）は、ステップＳ１１３の処理に対応した図である。図８（Ｃ）は、ステップＳ１１５とステップＳ１２１とステップＳ１２５との処理に対応した図である。制御部１６０は、操作ロック状態の画面を縮小率に従ってディスプレイ１４２にしている場合に、ロック解除アイコン２０１への長押し（ステップＳ１１５においてＹＥＳ）を検出すると、ナビゲーション画像２０４をディスプレイ１４２に表示する（ステップＳ１２５）。
【００８４】
図８（Ｄ）は、ステップＳ１１８とステップＳ１２０との処理に対応した図である。制御部１６０は、メモリに保持されている縮小率に従って、縮小サイズ操作画面２１１をディスプレイ１４２に表示して、縮小表示モードでの動作を開始する。
【００８５】
＜実施の形態２のまとめ＞
このように、実施の形態２の電子機器１０によれば、例えばユーザによって指定された縮小率を示す縮小率情報１５１をメモリに保持している場合に、ロック解除ボタンのアイコンへのタッチ操作という簡易な操作によって、操作ロック状態の解除とともに、ユーザが指定した縮小率に従う縮小表示モードによる動作を開始することができる。
【００８６】
＜実施の形態３＞
図９と図１０とを参照して、別の実施の形態にかかる電子機器１０の動作について説明する。実施の形態３の電子機器１０は、縮小率情報１５１がメモリに保持されている場合に、複数のナビゲーション用の画像をディスプレイ１４２に表示し、ドラッグ操作またはフリック操作に応じて、縮小表示モードまたは通常表示モードにより動作する。図９の処理は、図２に示すステップＳ１２５の処理に続いて実行される。
【００８７】
図９は、実施の形態３の電子機器１０の操作ロック状態において、縮小率情報１５１がメモリに保持されているか否かに応じて複数のナビゲーション用の画像をディスプレイ１４２に表示し、縮小表示モードまたは通常表示モードで電子機器１０を動作させる処理を示すフローチャートである。
【００８８】
ステップＳ１３１において、制御部１６０は、記憶部１５０の記憶内容を参照し、縮小率情報１５１がメモリに保持されているか否かを判定する。縮小率情報１５１がメモリに保持されている場合（ステップＳ１３１においてＹＥＳ）、制御部１６０は、ステップＳ１３３の処理を行い、そうでない場合（ステップＳ１３１においてＮＯ）、ステップＳ１４１の処理を行う。
【００８９】
ステップＳ１３３において、制御部１６０は、ナビゲーション用の第２の画像をディスプレイ１４２に表示する。制御部１６０は、ナビゲーション用の第２の画像を、ディスプレイ１４２に、ロック解除ボタンのアイコンを起点として表示する。制御部１６０は、ナビゲーション用の第２の画像を、ディスプレイ１４２において、電子機器１０の筐体に人体が接触している側面に沿う辺の下端を終点として表示する。
【００９０】
ステップＳ１３５において、制御部１６０は、入力受付部１４１の検出結果に基づいて、ナビゲーション用の第２の画像の終点に向けて、フリック操作が行われたか否かを判定する。フリック操作とは、入力受付部１４１によって検出されるユーザのタッチ操作の位置を起点として、例えばユーザが指をはじくように操作することで、一定の方向へ一定以上の速度でタッチ操作の位置を変化させる操作をいう。制御部１６０は、入力受付部１４１によって検出されるタッチ操作の位置を起点として、タッチ操作によって示される座標が、一定の方向へ一定以上の速度で連続して変化することを検出することで、フリック操作の有無を判定する。ナビゲーション用の第２の画像の終点に向けたフリック操作を検出した場合（ステップＳ１３５においてＹＥＳ）、制御部１６０は、ステップＳ１３７の処理を行い、そうでない場合（ステップＳ１３５においてＮＯ）、ステップＳ１４１の処理を行う。
【００９１】
ステップＳ１４１において、制御部１６０は、ナビゲーション用の第１の画像の終点に向けて、フリック操作が行われたか否かを判定する。制御部１６０は、ナビゲーション用の第１の画像の終点に向けたフリック操作を検出した場合（ステップＳ１４１においてＹＥＳ）、ステップＳ１５７の処理を行い、そうでない場合（ステップＳ１４１においてＮＯ）、ステップＳ１４３の処理を行う。
【００９２】
ステップＳ１４３において、制御部１６０は、ナビゲーション用の画像を表示した後、ユーザが、ナビゲーション用の画像上でロック解除ボタンのアイコンのドラッグ操作を開始したか否かを判定する。制御部１６０は、ユーザがドラッグ操作を開始したと判定した場合（ステップＳ１４３においてＹＥＳ）、ステップＳ１９３の処理を行い、そうでない場合（ステップＳ１４３においてＮＯ）、ステップＳ１５４の処理を行う。
【００９３】
ステップＳ１５４において、制御部１６０は、入力受付部１４１の検出結果に基づいて、ナビゲーション用の画像（第１の画像と第２の画像）の範囲外において、ユーザのタッチ操作を検出したか否かを判定する。ナビゲーション用の画像（第１の画像と第２の画像）の範囲外でユーザのタッチ操作を検出した場合（ステップＳ１５４においてＹＥＳ）、制御部１６０は、図２に示すステップＳ１０１の処理を行い（図２のステップＳ１）、そうでない場合（ステップＳ１５４においてＮＯ）、ステップＳ１５５の処理を行う。
【００９４】
以降のステップＳ１５５と、ステップＳ１５７と、ステップＳ１９３と、ステップＳ１９５と、ステップＳ１９７と、ステップＳ１９９との処理は、図３で説明したものと同様であるため説明を繰り返さない。
【００９５】
＜実施の形態３の画面の表示例＞
図１０を参照して、実施の形態３の電子機器１０の画面の表示例を説明する。
【００９６】
図１０は、実施の形態３の電子機器１０において、縮小率情報１５１がメモリに保持されている場合に、ナビゲーション用の画像を複数表示してフリック操作により縮小表示モードまたは通常表示モードによって動作を開始する処理の表示例を示す図である。
【００９７】
図１０（Ａ）は、図２に示すステップＳ１０１の処理に対応した図である。図４（Ｂ）は、図２に示すステップＳ１２５と、ステップＳ１３１と、ステップＳ１３３との処理に対応した図である。図４（Ｂ）の例では、電子機器１０は、縮小率情報１５１をメモリに保持しているものとしている。図４（Ｂ）に示すように、制御部１６０は、ステップＳ１２５の処理により、ナビゲーション画像２０４（第１の画像）をディスプレイ１４２に表示し、ステップＳ１３３の処理により、ナビゲーション画像２０７（第２の画像）をディスプレイ１４２に表示する。
【００９８】
図１０（Ｃ）は、ステップＳ１４１とステップＳ１５７との処理に対応した図である。制御部１６０は、ナビゲーション用の第１の画像の終点へ向かうフリック操作を検出することにより（ステップＳ１４１においてＹＥＳ）（図１０（Ｂ）では、電子機器１０の筐体の右側面がユーザによって把持されており、ナビゲーション用の第１の画像の終点は、筐体の左側面に沿う辺の上端となる）、図１０（Ｃ）に示すように、ディスプレイ１４２に通常サイズ操作画面２１２を表示して通常表示モードでの動作を開始する。
【００９９】
図１０（Ｄ）は、ステップＳ１３５とステップＳ１３７との処理に対応した図である。制御部１６０は、ナビゲーション用の第２の画像の終点へ向かうフリック操作を検出することにより（ステップＳ１３５においてＹＥＳ）（図１０（Ｂ）の例では、ナビゲーション用の第２の画像の終点は、筐体の右側面に沿う辺の下端となる）、図１０（Ｄ）に示すように、縮小サイズ操作画面２１１をディスプレイ１４２に表示して縮小表示モードでの動作を開始する。
【０１００】
＜実施の形態３のまとめ＞
このように、実施の形態３の電子機器１０によれば、ナビゲーション用の第１の画像または第２の画像により示される終点へ向けたフリック操作という簡易な操作によって、操作ロック状態の解除とともに、縮小表示モードでの動作を開始するか、通常表示モードでの動作を開始するかを切り替えることができ、電子機器１０の操作性が向上する。
【０１０１】
＜実施の形態４＞
図１１と図１２とを参照して、別の実施の形態にかかる電子機器１０の動作について説明する。実施の形態１から実施の形態３の電子機器１０は、操作ロック状態を解除するための入力操作を、ロック解除ボタンを示すアイコンへのタッチ操作が一定時間を超えることとして説明した（ステップＳ１０１）。この他に、操作ロック状態を解除するための操作は、例えば、数字、文字、記号などにより構成されるパスコードを入力することとしてもよい。
【０１０２】
図１１は、パスコード入力により操作ロック状態を解除してナビゲーション用の第１の画像を表示する処理を示すフローチャートである。
【０１０３】
ステップＳ１０２において、制御部１６０は、数字、文字、記号などの入力を受け付けるためのパスコード入力画面をディスプレイ１４２に表示して、パスコードの入力操作を受け付ける。制御部１６０は、パスコード入力画面において、パスコードの入力操作を完了するための確定ボタンを表示する。
【０１０４】
ステップＳ１０３において、制御部１６０は、パスコードの入力操作を完了するための確定ボタンに対するタッチ操作が入力受付部１４１によって検出されたか否かを判定する。確定ボタンに対するタッチ操作があった場合（ステップＳ１０３においてＹＥＳ）、制御部１６０は、ステップＳ１０４の処理を行い、そうでない場合（ステップＳ１０３においてＮＯ）、ステップＳ１１７の処理を行う。
【０１０５】
ステップＳ１０４において、制御部１６０は、入力を受け付けたパスコードが、操作ロック状態の解除のためのパスコードと一致するか否かにより、ロック解除の可否を判定する。入力を受け付けたパスコードが、操作ロック状態の解除のためのパスコードと一致する場合（ステップＳ１０４において”ロック解除可”）、制御部１６０は、ステップＳ１２１の処理を行い、そうでない場合（ステップＳ１０４において”ロック解除不可”）、ステップＳ１０５の処理を行う。
【０１０６】
ステップＳ１０５において、制御部１６０は、入力されたパスコードが、操作ロック解除のためのパスコードと一致しないことを示す入力エラーをディスプレイ１４２に表示する。
【０１０７】
ステップＳ１２１において、制御部１６０は、接触検知部１４９の検出結果に基づいて、電子機器１０の筐体の左側面と右側面のうち、いずれかの側面のみが人体と接触しているか否かを判定する。電子機器１０の筐体の左側面が人体と接触して右側面が人体と接触していない場合、または電子機器１０の筐体の右側面が人体と接触して左側面が人体と接触していない場合（ステップＳ１２１においてＹＥＳ）、制御部１６０は、ステップＳ１２７の処理を行い、そうでない場合（ステップＳ１２１においてＮＯ）、ステップＳ１２３の処理を行う。
【０１０８】
ステップＳ１２７において、制御部１６０は、ナビゲーション用の第１の画像を、ディスプレイ１４２に、パスコードの入力操作を完了するための確定ボタンのアイコンを起点として表示する。制御部１６０は、ナビゲーション用の第１の画像を、ディスプレイ１４２において、電子機器１０の筐体に人体が接触している側面に沿う辺の下端と、この側面に対向する側面に沿う辺の上部の頂点とを結ぶ対角線に沿うように表示する。ナビゲーション用の第１の画像の終点は、電子機器１０の筐体に人体が接触している側面に対向する側面の上部の頂点である。
【０１０９】
図１２は、実施の形態４における操作ロック解除のための操作手順およびナビゲーション用の第１の画像の表示の例を示す図である。
【０１１０】
図１２（Ａ）は、ステップＳ１０２の処理に対応した図である。制御部１６０は、パスコード入力画面２０８をディスプレイ１４２に表示して、パスコードの入力操作を受け付ける。パスコード入力画面２０８において、ボタン「ＯＫ」は、パスコードの入力操作を完了するための確定ボタンを示す。
【０１１１】
図１２（Ｂ）は、ステップＳ１０３とステップＳ１０４との処理に対応した図である。制御部１６０は、ボタン「ＯＫ」へのタッチ操作を検出して、入力されたパスコードが、操作ロック解除のためのパスコードと一致するか否かを判定する。
【０１１２】
図１２（Ｃ）は、ステップＳ１２７の処理に対応した図である。制御部１６０は、ボタン「ＯＫ」を示す決定ボタンアイコン２２１を起点として、ナビゲーション画像２０４をディスプレイ１４２に表示する。
【０１１３】
図１２（Ｄ）は、図３のステップＳ１４５およびステップＳ１９３の処理に対応した図である。図１２（Ｅ）は、ステップＳ１９３およびステップＳ１９５の処理に対応した図である。図１２（Ｆ）は、ステップＳ１９９の処理に対応した図である。
【０１１４】
＜実施の形態４のまとめ＞  
このように、実施の形態４の電子機器１０によれば、パスコードの入力というロック解除のための操作によっても、実施の形態１と同様に、片手での操作を実現するために、直観的で容易な操作性を提供すること等ができる。
【０１１５】
＜実施の形態５＞
図１３と図１４とを参照して、別の実施の形態にかかる電子機器１０の動作について説明する。操作ロック状態を解除するための操作は、格子状の複数のパターンを表示して、一筆書きにより一定の順番でこれらパターンを選択することとしてもよい。
【０１１６】
図１３は、格子状の複数のパターンを表示して、一筆書きにより一定の順番でこれらパターンが選択されることにより操作ロック状態を解除してナビゲーション用の第１の画像を表示する処理を示すフローチャートである。
【０１１７】
ステップＳ１０７において、制御部１６０は、格子状に並べられた複数のパターンをディスプレイ１４２に表示して、これらパターンをタッチ操作の軌跡により順に選択する操作を入力受付部１４１によって受け付ける。
【０１１８】
ステップＳ１０８において、制御部１６０は、ユーザがタッチ操作を終了したことを入力受付部１４１によって検知する。制御部１６０は、タッチ操作の終了によって確定する、ユーザのタッチ操作の軌跡（ユーザがパターンを選択した順序）に基づいて、ロック解除の可否を判定する。すなわち、制御部１６０は、ユーザがパターンを選択した順序が、ロック解除のためのパターンの選択の順序に合致するか否かにより、ロック解除の可否を判定する。ロック解除可と判定される場合（ステップＳ１０８において”ロック解除可”）、制御部１６０は、ステップＳ１２１の処理を行い、そうでない場合（ステップＳ１０８において”ロック解除不可”）、ステップＳ１０９の処理を行う。
【０１１９】
ステップＳ１０９において、制御部１６０は、ユーザのタッチ操作によって選択されたパターンの順序が、操作ロック状態の解除のためのパターンの選択の順序に合致しないことを示すエラーをディスプレイ１４２に表示する。
【０１２０】
ステップＳ１２１において、制御部１６０は、接触検知部１４９の検出結果に基づいて、電子機器１０の筐体の左側面と右側面のうち、いずれかの側面のみが人体と接触しているか否かを判定する。電子機器１０の筐体の左側面が人体と接触して右側面が人体と接触していない場合、または電子機器１０の筐体の右側面が人体と接触して左側面が人体と接触していない場合（ステップＳ１２１においてＹＥＳ）、制御部１６０は、ステップＳ１２９の処理を行い、そうでない場合（ステップＳ１２１においてＮＯ）、ステップＳ１２３の処理を行う。
【０１２１】
ステップＳ１２９において、制御部１６０は、ナビゲーション用の第１の画像を、ディスプレイ１４２に、タッチ操作によって最後に選択されたパターンの画像を起点として表示する。制御部１６０は、ナビゲーション用の第１の画像を、ディスプレイ１４２において、電子機器１０の筐体に人体が接触している側面に沿う辺の下端と、この側面に対向する側面に沿う辺の上部の頂点とを結ぶ対角線に沿うように表示する。ナビゲーション用の第１の画像の終点は、電子機器１０の筐体に人体が接触している側面に対向する側面の上部の頂点である。
【０１２２】
図１４は、実施の形態５における操作ロック解除のための操作手順およびナビゲーション用の第１の画像の表示の例を示す図である。
【０１２３】
図１４（Ａ）は、ステップＳ１０７の処理に対応した図である。制御部１６０は、格子状に並べられた複数のパターンを格子パターン選択画面２０９に表示する。図１４（Ａ）の例では、９個のパターンが３行３列の格子状に配置されている。
【０１２４】
図１４（Ｂ）は、ステップＳ１０８の処理に対応した図である。図１４（Ｂ）の例では、ユーザのタッチ操作により、格子状に並べられた複数のパターンが、左端の列の下端のパターンから上端のパターンまで選択され、次いで中央の列の上端のパターンから下端のパターンまで選択されている。
【０１２５】
図１４（Ｃ）は、ステップＳ１２９の処理に対応した図である。制御部１６０は、ユーザが最後に選択したパターンであるパターンアイコン２２２を起点として、ナビゲーション画像２０４をディスプレイ１４２に表示する。
【０１２６】
図１４（Ｄ）は、図３のステップＳ１４５およびステップＳ１９３の処理に対応した図である。図１４（Ｅ）は、ステップＳ１９３およびステップＳ１９５の処理に対応した図である。図１４（Ｆ）は、ステップＳ１９９の処理に対応した図である。
【０１２７】
＜実施の形態５のまとめ＞
このように、実施の形態５の電子機器１０によれば、格子状の複数のパターンを順に選択するというロック解除のための操作によっても、実施の形態１と同様に、片手での操作を実現するために、直観的で容易な操作性を提供すること等ができる。
【０１２８】
本開示の電子機器は、プロセッサと、その上で実行されるプログラムにより実現される。本開示に示される動作を実現するプログラムは、通信インタフェースを介してネットワークを利用した送受信等により提供される。
【０１２９】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【０１３０】
１０  電子機器、１０１  アンテナ、１１１  無線通信部、１３１  物理操作キー、１３２  加速度センサ、１４１  入力受付部、１４２  ディスプレイ、１４４  電源制御部、１４５  バッテリ、１４６  音声処理部、１４７  マイク、１４８  スピーカ、１４９  接触検知部、１５０  記憶部、１５１  縮小率情報、１６０  制御部、１６１  縮小表示制御部、１６２  ロック解除判定部、１６３  解除制御部、１６４  保持状態判定部。
【図１】
0006275584.tif 000002
【図２】
0006275584.tif 000003
【図３】
0006275584.tif 000004
【図４】
0006275584.tif 000005
【図５】
0006275584.tif 000006
【図６】
0006275584.tif 000007
【図７】
0006275584.tif 000008
【図８】
0006275584.tif 000009
【図９】
0006275584.tif 000010
【図１０】
0006275584.tif 000011
【図１１】
0006275584.tif 000012
【図１２】
0006275584.tif 000013
【図１３】
0006275584.tif 000014
【図１４】
0006275584.tif 000015